(57)【要約】【課題】チョーク回路の漏洩磁束の影響を受けない勾配磁場電源およびそのような電源を有する磁気共鳴撮影装置を実現する。【解決手段】勾配磁場発生用のコイルに電流を供給する電源において、チョーク回路（３０６）の一方の出力線（３６２）を電流センサ（３０８）の磁気回路の中空部を貫通するように配線し、チョーク回路の他方の出力線（３６４）を電流センサのチョーク回路側とは反対側に、電流センサの磁気回路の中空部を貫通する一方の出力線の部分とは電流の向きが逆になるように配線する。【選択図】      図６
2005027700.tif 000002
【特許請求の範囲】
【請求項１】
勾配磁場発生用のコイルに電流を供給する電源であって、
電流供給経路の途中に設けられたチョーク回路と、
前記チョーク回路の出力側の近傍に配置され、中空部を持つ磁気回路およびこの磁気回路を横切るホール素子を有する電流センサと、
前記電流センサの磁気回路の中空部を貫通するように配線された前記チョーク回路の一方の出力線と、
前記電流センサの前記チョーク回路側とは反対側に、前記電流センサの磁気回路の中空部を貫通する前記一方の出力線の部分とは電流の向きが逆になるように配線された前記チョーク回路の他方の出力線と、
を具備することを特徴とする勾配磁場電源。
【請求項２】
前記一方の出力線は、前記チョーク回路側から前記電流センサの磁気回路の中空部を貫通した後に、前記電流センサの前記チョーク回路側とは反対側に、前記他方の出力線と電流の向きが同じになるように配線される、
ことを特徴とする請求項１に記載の勾配磁場電源。
【請求項３】
前記一方の出力線の前記チョーク回路と前記電流センサの間の部分は、前記チョーク回路と前記電流センサの間に、前記中空部を貫通する部分とは電流の向きが逆になるように配線される、
ことを特徴とする請求項１または請求項２に記載の勾配磁場電源。
【請求項４】
前記電流センサは前記チョーク回路側とは反対側の部分を除いて磁気シールドがなされている、
ことを特徴とする請求項１ないし請求項３のうちのいずれか１つ勾配磁場電源。
【請求項５】
主磁場マグネット、勾配コイルおよびＲＦコイルがそれぞれ発生する静磁場、勾配磁場およびＲＦ磁場を撮影の対象に印加して磁気共鳴信号を収集し、それに基づいて画像を再構成する磁気共鳴撮影装置であって、
前記勾配コイルに電流を供給する電源は、
電流供給経路の途中に設けられたチョーク回路と、
前記チョーク回路の出力側の近傍に配置され、中空部を持つ磁気回路およびこの磁気回路を横切るホール素子を有する電流センサと、
前記電流センサの磁気回路の中空部を貫通するように配線された前記チョーク回路の一方の出力線と、
前記電流センサの前記チョーク回路側とは反対側に、前記電流センサの磁気回路の中空部を貫通する前記一方の出力線の部分とは電流の向きが逆になるように配線された前記チョーク回路の他方の出力線と、
を具備することを特徴とする磁気共鳴撮影装置。
【請求項６】
前記一方の出力線は、前記チョーク回路側から前記電流センサの磁気回路の中空部を貫通した後に、前記電流センサの前記チョーク回路側とは反対側に、前記他方の出力線と電流の向きが同じになるように配線される、
ことを特徴とする請求項５に記載の磁気共鳴撮影装置。
【請求項７】
前記一方の出力線の前記チョーク回路と前記電流センサの間の部分は、前記チョーク回路と前記電流センサの間に、前記中空部を貫通する部分とは電流の向きが逆になるように配線される、
ことを特徴とする請求項５または請求項６に記載の磁気共鳴撮影装置。
【請求項８】
前記電流センサは前記チョーク回路側とは反対側の部分を除いて磁気シールドがなされている、
ことを特徴とする請求項５ないし請求項７のうちのいずれか１つ磁気共鳴撮影装置。
【発明の詳細な説明】
【０００１】
【発明の属する技術分野】
本発明は、勾配磁場電源および磁気共鳴撮影装置に関し、とくに、勾配磁場発生用のコイルに電流を供給する電源およびそのような電源を有する磁気共鳴撮影装置に関する。
【０００２】
【従来の技術】
磁気共鳴撮影装置では、主磁場コイル（ｃｏｉｌ）、勾配コイルおよびＲＦ（ｒａｄｉｏ  ｆｒｅｑｕｅｎｃｙ）コイルがそれぞれ発生する静磁場、勾配磁場およびＲＦ磁場を撮影の対象に印加して磁気共鳴信号を収集し、それに基づいて画像を再構成する。勾配コイルおよびＲＦコイルには、それぞれの駆動部（電源）から磁場発生用の電流が供給される（例えば、特許文献１参照）。
【０００３】
【特許文献１】
特開２００２−１５９４６４号公報（第４−６頁、図１）
【０００４】
【発明が解決しようとする課題】
勾配磁場電源の出力電流について、チョーク回路でコモンモードノイズ（ｃｏｍｍｏｎ  ｍｏｄｅ  ｎｏｉｓｅ）を除去し、電流センサ（ｓｅｎｓｏｒ）で電流値検出を行う場合、電流センサとしてホール（Ｈａｌｌ）素子を用いたときは、チョーク回路の漏洩磁束の影響で電流検出値にヒステリシス（ｈｙｓｔｅｒｅｓｉｓ）誤差が生じ、このため電流出力が不正確になる。
【０００５】
そこで、本発明の課題は、チョーク回路の漏洩磁束の影響を受けない勾配磁場電源およびそのような電源を有する磁気共鳴撮影装置を実現することである。
【０００６】
【課題を解決するための手段】
（１）上記の課題を解決するためのひとつの観点での発明は、勾配磁場発生用のコイルに電流を供給する電源であって、電流供給経路の途中に設けられたチョーク回路と、前記チョーク回路の出力側の近傍に配置され、中空部を持つ磁気回路およびこの磁気回路を横切るホール素子を有する電流センサと、前記電流センサの磁気回路の中空部を貫通するように配線された前記チョーク回路の一方の出力線と、前記電流センサの前記チョーク回路側とは反対側に、前記電流センサの磁気回路の中空部を貫通する前記一方の出力線の部分とは電流の向きが逆になるように配線された前記チョーク回路の他方の出力線と、を具備することを特徴とする勾配磁場電源である。
【０００７】
（２）上記の課題を解決するための他の観点での発明は、主磁場マグネット、勾配コイルおよびＲＦコイルがそれぞれ発生する静磁場、勾配磁場およびＲＦ磁場を撮影の対象に印加して磁気共鳴信号を収集し、それに基づいて画像を再構成する磁気共鳴撮影装置であって、前記勾配コイルに電流を供給する電源は、電流供給経路の途中に設けられたチョーク回路と、前記チョーク回路の出力側の近傍に配置され、中空部を持つ磁気回路およびこの磁気回路を横切るホール素子を有する電流センサと、前記電流センサの磁気回路の中空部を貫通するように配線された前記チョーク回路の一方の出力線と、前記電流センサの前記チョーク回路側とは反対側に、前記電流センサの磁気回路の中空部を貫通する前記一方の出力線の部分とは電流の向きが逆になるように配線された前記チョーク回路の他方の出力線と、を具備することを特徴とする磁気共鳴撮影装置である。
【０００８】
上記各観点での発明では、チョーク回路の一方の出力線が電流センサの磁気回路の中空部を貫通するように配線され、チョーク回路の他方の出力線が電流センサのチョーク回路側とは反対側に、電流センサの磁気回路の中空部を貫通する一方の出力線の部分とは電流の向きが逆になるように配線されているので、他方の出力線に流れる電流の磁気作用により、チョーク回路の漏洩磁束の影響を相殺することができる。
【０００９】
前記一方の出力線は、前記チョーク回路側から前記電流センサの磁気回路の中空部を貫通した後に、前記電流センサの前記チョーク回路側とは反対側に、前記他方の出力線と電流の向きが同じになるように配線されることが、相殺の程度を強める点で好ましい。
【００１０】
前記一方の出力線の前記チョーク回路と前記電流センサの間の部分は、前記チョーク回路と前記電流センサの間に、前記中空部を貫通する部分とは電流の向きが逆になるように配線されることが、相殺の程度をさらに強める点で好ましい。
【００１１】
前記電流センサは前記チョーク回路側とは反対側の部分を除いて磁気シールドがなされていることが、チョーク回路の漏洩磁束の影響を軽減する点で好ましい。
【００１２】
【発明の実施の形態】
以下、図面を参照して本発明の実施の形態を詳細に説明する。なお、本発明は実施の形態に限定されるものではない。図１に磁気共鳴撮影装置のブロック（ｂｌｏｃｋ）図を示す。本装置は本発明の実施の形態の一例である。本装置の構成によって、本発明の磁気共鳴撮影装置に関する実施の形態の一例が示される。
【００１３】
同図に示すように、本装置はマグネットシステム（ｍａｇｎｅｔ  ｓｙｓｔｅｍ）１００を有する。マグネットシステム１００は主磁場コイル部１０２、勾配コイル部１０６およびＲＦコイル部１０８を有する。これら各コイル部は概ね円筒状の形状を有し、互いに同軸的に配置されている。マグネットシステム１００の概ね円柱状の内部空間（ボア：ｂｏｒｅ）に、撮影の対象１がクレードル（ｃｒａｄｌｅ）５００に搭載されて搬入される。
【００１４】
主磁場コイル部１０２、勾配コイル部１０６およびＲＦコイル部１０８は、それぞれ、本発明における主磁場マグネット、勾配コイルおよびＲＦコイルの実施の形態の一例である。
【００１５】
クレードル５００は、クレードル駆動部１２０によって駆動される。これによって、対象１をマグネットシステムの内部空間において体軸方向に移動させることできる。体軸方向の移動は、対象１の撮影領域を変更するときに行われる。
【００１６】
主磁場コイル部１０２はマグネットシステム１００の内部空間に静磁場を形成する。静磁場の方向は概ね対象１の体軸の方向に平行である。すなわちいわゆる水平磁場を形成する。主磁場コイル部１０２は例えば超伝導コイルを用いて構成される。なお、超伝導コイルに限らず常伝導コイル等を用いて構成してもよい。
【００１７】
勾配コイル部１０６は、互いに垂直な３軸すなわちスライス（ｓｌｉｃｅ）軸、位相軸および周波数軸の方向において、それぞれ静磁場強度に勾配を持たせるための３つの勾配磁場を生じる。
【００１８】
静磁場空間における互いに垂直な座標軸をｘ，ｙ，ｚとしたとき、いずれの軸もスライス軸とすることができる。その場合、残り２軸のうちの一方を位相軸とし、他方を周波数軸とする。また、スライス軸、位相軸および周波数軸は、相互間の垂直性を保ったままｘ，ｙ，ｚ軸に関して任意の傾きを持たせることも可能である。これはオブリーク（ｏｂｌｉｑｕｅ）とも呼ばれる。なお、本装置では対象１の体軸の方向をｚ軸方向とする。
【００１９】
スライス軸方向の勾配磁場をスライス勾配磁場ともいう。位相軸方向の勾配磁場を位相エンコード（ｅｎｃｏｄｅ）勾配磁場またはフェーズエンコード（ｐｈａｓｅ  ｅｎｃｏｄｅ）勾配磁場ともいう。周波数軸方向の勾配磁場をリードアウト（ｒｅａｄ  ｏｕｔ）勾配磁場ともいう。リードアウト勾配磁場は周波数エンコード勾配磁場と同義である。このような勾配磁場の発生を可能にするために、勾配コイル部１０６は図示しない３系統の勾配コイルを有する。以下、勾配磁場を単に勾配ともいう。
【００２０】
ＲＦコイル部１０８は静磁場空間に対象１の体内のスピン（ｓｐｉｎ）を励起するための高周波磁場を形成する。以下、高周波磁場を形成することをＲＦ励起信号の送信ともいう。また、ＲＦ励起信号をＲＦパルス（ｐｕｌｓｅ）ともいう。励起されたスピンが生じる電磁波すなわち磁気共鳴信号は、ＲＦコイル部１０８によって受信される。
【００２１】
磁気共鳴信号は、周波数ドメイン（ｄｏｍａｉｎ）すなわちフーリエ（Ｆｏｕｒｉｅｒ）空間の信号となる。位相軸方向および周波数軸方向の勾配により、磁気共鳴信号のエンコードを２軸で行うので、磁気共鳴信号は２次元フーリエ空間における信号として得られる。フェーズエンコード勾配およびリードアウト勾配は、２次元フーリエ空間における信号のサンプリング位置を決定する。以下、２次元フーリエ空間をｋスペース（ｋ−ｓｐａｃｅ）ともいう。
【００２２】
位相エンコードおよび周波数エンコードによってエコー信号ＭＲを読み出すことにより、ｋスペースのデータ（ｄａｔａ）がサンプリング（ｓａｍｐｌｉｎｇ）される。ｋスペース概念図を図２に示す。同図に示すように、ｋスペースの横軸ｋｘは周波数軸であり、縦軸ｋｙは位相軸である。
【００２３】
同図において、複数の横長の長方形がそれぞれ位相軸上のデータサンプリング位置を表す。長方形内に記入された数字は位相エンコード量を表す。位相エンコード量はπ／Ｎで正規化してある。Ｎは位相方向のサンプリング数である。位相方向のサンプリング数は位相エンコード数またはビュー数とも呼ばれる。Ｎは例えば６４〜２５６である。
【００２４】
位相エンコード量は位相軸ｋｙの中心で０である。中心から両端にかけて位相エンコード量が次第に増加する。増加の極性は互いに逆である。サンプリング間隔すなわち位相エンコード量の階差はπ／Ｎである。
【００２５】
勾配コイル部１０６には勾配駆動部１３０が接続されている。勾配駆動部１３０は勾配コイル部１０６に駆動信号を与えて勾配磁場を発生させる。勾配駆動部１３０は、勾配コイル部１０６における３系統の勾配コイルに対応して、図示しない３系統の駆動回路を有する。
【００２６】
勾配駆動部１３０は、本発明の勾配磁場電源の実施の形態の一例である。本装置の構成によって、本発明の勾配磁場電源に関する実施の形態の一例が示される。勾配駆動部１３０は、また、本発明における電源の実施の形態の一例である。勾配駆動部１３０については後にあらためて説明する。
【００２７】
ＲＦコイル部１０８にはＲＦ駆動部１４０が接続されている。ＲＦ駆動部１４０はＲＦコイル部１０８に駆動信号を与えてＲＦパルスを送信し、対象１の体内のスピンを励起する。
【００２８】
ＲＦコイル部１０８にはデータ収集部１５０が接続されている。データ収集部１５０は、ＲＦコイル部１０８が受信した受信信号をディジタルデータ（ｄｉｇｉｔａｌ  ｄａｔａ）として収集する。
【００２９】
クレードル駆動部１２０、勾配駆動部１３０、ＲＦ駆動部１４０およびデータ収集部１５０にはシーケンス（ｓｅｑｕｅｎｃｅ）制御部１６０が接続されている。シーケンス制御部１６０は、クレードル駆動部１２０ないしデータ収集部１５０をそれぞれ制御して撮影を遂行する。
【００３０】
シーケンス制御部１６０は、例えばコンピュータ（ｃｏｍｐｕｔｅｒ）等を用いて構成される。シーケンス制御部１６０は図示しないメモリ（ｍｅｍｏｒｙ）を有する。メモリはシーケンス制御部１６０用のプログラム（ｐｒｏｇｒａｍ）および各種のデータを記憶している。シーケンス制御部１６０の機能は、コンピュータがメモリに記憶されたプログラムを実行することにより実現される。
【００３１】
データ収集部１５０の出力側はデータ処理部１７０に接続されている。データ収集部１５０が収集したデータがデータ処理部１７０に入力される。データ処理部１７０は、データ収集部１５０が収集したデータをメモリに記憶する。メモリ内にはデータ空間が形成される。このデータ空間はｋスペースに対応する。データ処理部１７０は、ｋスペースのデータを２次元逆フ−リエ変換することにより画像を再構成する。
【００３２】
データ処理部１７０は、例えばコンピュータ等を用いて構成される。データ処理部１７０は図示しないメモリを有する。メモリはデータ処理部１７０用のプログラムおよび各種のデータを記憶している。
【００３３】
データ処理部１７０はシーケンス制御部１６０に接続されている。データ処理部１７０はシーケンス制御部１６０の上位にあってそれを統括する。本装置の機能は、データ処理部１７０がメモリに記憶されたプログラムを実行することによりを実現される。
【００３４】
データ処理部１７０には表示部１８０および操作部１９０が接続されている。表示部１８０は、グラフィックディスプレー（ｇｒａｐｈｉｃ  ｄｉｓｐｌａｙ）等で構成される。操作部１９０はポインティングデバイス（ｐｏｉｎｔｉｎｇｄｅｖｉｃｅ）を備えたキーボード（ｋｅｙｂｏａｒｄ）等で構成される。
【００３５】
表示部１８０は、データ処理部１７０から出力される再構成画像および各種の情報を表示する。操作部１９０は、使用者によって操作され、各種の指令や情報等をデータ処理部１７０に入力する。使用者は表示部１８０および操作部１９０を通じてインタラクティブ（ｉｎｔｅｒａｃｔｉｖｅ）に本装置を操作する。
【００３６】
図３に、他の方式の磁気共鳴撮影装置のブロック図を示す。同図に示す磁気共鳴撮影装置は、本発明の実施の形態の一例である。本装置の構成によって、本発明の磁気共鳴撮影装置に関する実施の形態の一例が示される。
【００３７】
本装置は、図１に示した装置とは方式を異にするマグネットシステム１００’を有する。マグネットシステム１００’以外は図１に示した装置と同様な構成になっており、同様な部分は同一の符号を付して説明を省略する。
【００３８】
マグネットシステム１００’は主磁場マグネット部１０２’、勾配コイル部１０６’およびＲＦコイル部１０８’を有する。これら主磁場マグネット部１０２’および各コイル部は、いずれも空間を挟んで互いに対向する１対のものからなる。また、いずれも概ね円盤状の形状を有し中心軸を共有して配置されている。マグネットシステム１００’の内部空間（ボア）に、対象１がクレードル５００に搭載されて図示しない搬送手段により搬入および搬出される。
【００３９】
主磁場マグネット部１０２’、勾配コイル部１０６’およびＲＦコイル部１０８’は、それぞれ、本発明における主磁場マグネット、勾配コイルおよびＲＦコイルの実施の形態の一例である。
【００４０】
主磁場マグネット部１０２’はマグネットシステム１００’の内部空間に静磁場を形成する。静磁場の方向は概ね対象１の体軸方向と直交する。すなわちいわゆる垂直磁場を形成する。主磁場マグネット部１０２’は例えば永久磁石等を用いて構成される。なお、永久磁石に限らず超伝導電磁石あるいは常伝導電磁石等を用いて構成してもよい。
【００４１】
勾配コイル部１０６’は、互いに垂直な３軸すなわちスライス軸、位相軸および周波数軸の方向において、それぞれ静磁場強度に勾配を持たせるための３つの勾配磁場を生じる。
【００４２】
静磁場空間における互いに垂直な座標軸をｘ，ｙ，ｚとしたとき、いずれの軸もスライス軸とすることができる。その場合、残り２軸のうちの一方を位相軸とし、他方を周波数軸とする。また、スライス軸、位相軸および周波数軸は、相互間の垂直性を保ったままｘ，ｙ，ｚ軸に関して任意の傾きを持たせること、すなわちオブリークが可能である。本装置でも対象１の体軸の方向をｚ軸方向とする。３軸方向の勾配磁場の発生を可能にするために、勾配コイル部１０６’は図示しない３系統の勾配コイルを有する。
【００４３】
ＲＦコイル部１０８’は静磁場空間に対象１の体内のスピンを励起するためのＲＦパルスを送信する  励起されたスピンが生じる電磁波すなわち磁気共鳴信号は、ＲＦコイル部１０８’によって受信される。ＲＦコイル部１０８’の受信信号がデータ収集部１５０に入力される。
【００４４】
図４に、磁気共鳴撮影に用いるパルスシーケンス（ｐｕｌｓｅ  ｓｅｑｕｅｎｃｅ）の一例を示す。このパルスシーケンスは、グラディエントエコー（ＧＲＥ：Ｇｒａｄｉｅｎｔ  Ｅｃｈｏ）法のパルスシーケンスである。
【００４５】
すなわち、（１）はＧＲＥ法におけるＲＦ励起用のα°パルスのシーケンスであり、（２）、（３）、（４）および（５）は、同じくそれぞれ、スライス勾配Ｇｓ、リードアウト勾配Ｇｒ、フェーズエンコード勾配ＧｐおよびグラディエントエコーＭＲのシーケンスである。なお、α°パルスは中心信号で代表する。パルスシーケンスは時間軸ｔに沿って左から右に進行する。
【００４６】
同図に示すように、α°パルスによりスピンのα°励起が行われる。αは９０以下である。このときスライス勾配Ｇｓが印加され所定のスライスについての選択励起が行われる。
【００４７】
α°励起後、フェーズエンコード勾配Ｇｐによりスピンのフェーズエンコードが行われる。次に、リードアウト勾配Ｇｒによりまずスピンをディフェーズし、次いでスピンをリフェーズして、グラディエントエコーＭＲを発生させる。グラディエントエコーＭＲはデータ収集部１５０によりビューデータとして収集される。
【００４８】
このようなパルスシーケンスが周期ＴＲで６４〜５１２回繰り返される。繰り返しのたびにフェーズエンコード勾配Ｇｐを変更し、毎回異なるフェーズエンコードを行う。これによって、６４〜５１２ビューのビューデータが得られる。
【００４９】
なお、パルスシーケンスは、ＧＲＥ法に限らず、スピンエコー（ＳＥ：  ｓｐｉｎ  ｅｃｈｏ）法や、ファーストスピンエコー（ＦＳＥ：  ｆａｓｔ  ｓｐｉｎ  ｅｃｈｏ）法あるいはエコープラナーイメージング（ＥＰＩ：  ｅｃｈｏ  ｐａｌａｎａｒ  ｉｍａｇｉｎｇ）等適宜の技法によるパルスシーケンスであってよい。
【００５０】
このようなパルスシーケンスによって得られたビューデータが、データ処理部１７０のメモリに収集される。データ処理部１７０は、メモリに収集したビューデータに基づいて画像を再構成する。
【００５１】
勾配駆動部１３０について説明する。図５に、勾配駆動部１３０のブロック図を示す。同図に示すように、勾配駆動部１３０は、電流制御部３０２が、シーケンス制御部１６０から与えられた制御信号に基づいて電流出力部３０４を制御し所定の電流を出力させる。
【００５２】
出力電流はアウトプットチョーク（ｏｕｔｐｕｔ  ｃｈｏｋｅ）３０６およびカレントセンサ（ｃｕｒｒｅｎｔ  ｓｅｎｓｏｒ）３０８を通って勾配コイル部１０６（または１０６’）に与えられる。
【００５３】
アウトプットチョーク３０６は、出力電流からコモンモードノイズを除去する。そのようなアウトプットチョークは、電流供給線の往路と復路を電磁的に結合するトランス（ｔｒａｎｓｆｏｒｍｅｒ）からなる。電磁結合の極性は、往路と復路におけるコモンモードノイズ成分同士が相殺し合う極性になっている。
【００５４】
カレントセンサ３０８は、出力電流の値を検出して電流制御部３０２にフィードバック（ｆｅｅｄｂａｃｋ）する。カレントセンサ３０８はホール素子を利用したカレントセンサである。ホール素子は、出力電流によって電流供給線の周りに生じる磁束を検出するようになっている。この磁束は出力電流に比例するので、検出信号は電流検出信号として利用可能である。検出感度を良くするために、磁束は磁気回路を通じてホール素子に与えられる。
【００５５】
図６に、アウトプットチョーク３０６、カレントセンサ３０８、電流供給線の往路３６２および復路３６４の配置の一例を示す。なお、電流供給線の往路３６２および復路３６４は相対的な呼称であり、１対の電流供給線のいずれを往路と呼びいずれを復路と呼んでもよい。
【００５６】
アウトプットチョーク３０６は、本発明におけるチョーク回路の実施の形態の一例である。カレントセンサ３０８は、本発明における電流センサの実施の形態の一例である。往路３６２は、本発明における一方の出力線の実施の形態の一例である。復路３６４は、本発明における他方の出力線の実施の形態の一例である。
【００５７】
同図に示すように、カレントセンサ３０８は、アウトプットチョーク３０６の出力側の近傍に配置される。往路３６２はアウトプットチョーク３０６を出てたところでほぼ９０°向きを変え、さらに１８０°向きを変えるように配線される。カレントセンサ３０８は、往路３６２の１８０°向きを変えた後の部分に設けられる。復路３６４は、カレントセンサ３０８のアウトプットチョーク３０６側とは反対側の近傍を往路３６２と平行に通ってアウトプットチョーク３０６に戻るように配線される。
【００５８】
このような配置をＡ−Ａ方向に見たものを図７に示す。同図に示すように、カレントセンサ３０８は、ホール素子３８２を環状の磁気回路３８４中に有する構造が、ケース（ｃａｓｅ）３８６に収容されたものとなっている。磁気回路３８４の中空部を往路３６２が貫通している。
【００５９】
このような構成により、出力電流によって磁気回路３８４中に生じた破線で示すような磁束がホール素子３８２に与えられる。ホール素子３８２はこの磁束に基づいて電流検出信号を出力する。
【００６０】
カレントセンサ３０８のアウトプットチョーク３０６側と反対側の近傍を復路３６４が通っており、それには往路と反対方向に出力電流が流れ、その周囲に生じた破線で示すような磁束がカレントセンサ３０８に作用する。この磁束は、アウトプットチョーク３０６からの漏洩磁束の影響を相殺し、ホール素子３８２の出力信号のヒステリシス誤差を減少させる効果を生じる。この事実は、発明者が鋭意探求の結果見いだしたものである。
【００６１】
カレントセンサ３０８のアウトプットチョーク３０６側の近傍には往路３６２が通っており、その周囲に生じる磁束も電流検出信号のヒステリシス誤差を低減する効果を持つので、それらの効果を併せて電流検出信号の誤差を除去することができる。
【００６２】
なお、誤差低減効果はアウトプットチョーク３０６側と反対側からの磁束が支配的であるから、復路３６４だけで行うようにしてもよい。カレントセンサ３０８と復路３６４の間の距離は最適に調整される。さらには、図８に示すように、往路３６２をカレントセンサ３０８を出てから１８０°向きを変え、カレントセンサ３０８のアウトプットチョーク３０６側と反対側で復路３６４と平行になるように配線するようにしてもよい。
【００６３】
このようにすることにより、図９に示すように、アウトプットチョーク３０６側と反対側からの磁束を増すことができ、誤差除去効果をいっそう高めることができる。カレントセンサ３０８と復路３６４の間の距離は最適に調整される。
【００６４】
カレントセンサ３０８には、図１０に示すように、磁気シールド３１０を設けるようにしてもよい。磁気シールド３１０は、アウトプットチョーク３０６側とは反対側が開放になっている。このような磁気シールド３１０は、アウトプットチョーク３０６の漏洩磁束の影響を低減させるが、アウトプットチョーク３０６側とは反対側からの復路３６４による磁気的効果は阻害しないので、電流検出信号の誤差除去効果がきわめて良好である。
【００６５】
【発明の効果】
以上詳細に説明したように、本発明によれば、チョーク回路の漏洩磁束の影響を受けない勾配磁場電源およびそのような電源を有する磁気共鳴撮影装置を実現することができる。
【図面の簡単な説明】
【図１】磁気共鳴撮影装置のブロック図である。
【図２】ｋスペースの概念を示す図である。
【図３】磁気共鳴撮影装置のブロック図である。
【図４】磁気共鳴撮影用のパルスシーケンスの一例を示す図である。
【図５】勾配駆動部のブロック図である。
【図６】勾配駆動部の一部の構成を示す図である。
【図７】勾配駆動部の一部の構成を示す図である。
【図８】勾配駆動部の一部の構成を示す図である。
【図９】勾配駆動部の一部の構成を示す図である。
【図１０】勾配駆動部の一部の構成を示す図である。
【符号の説明】
１  対象
１００，１００’  マグネットシステム
１０２  主磁場コイル部
１０２’  主磁場マグネット部
１０６，１０６’  勾配コイル部
１０８，１０８’  ＲＦコイル部
１２０  クレードル駆動部
１３０  勾配駆動部
１４０  ＲＦ駆動部
１６０  データ収集部
１６０  シーケンス制御部
１７０  データ処理部
１８０  表示部
１９０  操作部
５００  クレードル
３０２  電流制御部
３０４  電流出力部
３０６  アウトプットチョーク
３０８  カレントセンサ
３８２  ホール素子
３８４  磁気回路
【図１】
2005027700.tif 000003
【図２】
2005027700.tif 000004
【図３】
2005027700.tif 000005
【図４】
2005027700.tif 000006
【図５】
2005027700.tif 000007
【図６】
2005027700.tif 000008
【図７】
2005027700.tif 000009
【図８】
2005027700.tif 000010
【図９】
2005027700.tif 000011
【図１０】
2005027700.tif 000012